(57)【要約】【課題】頭痛時等に、適切な押圧力で長時間こめかみを押圧でき、さらに装着が容易で、様々な姿勢で適切に使用できる側頭部押圧器具を提供する。【解決手段】本発明は、頭部のこめかみ部を押さえる器具であって、開環した可撓性のリング部材と、リング部材の開環両端部に固定された弾性体からなるこめかみ部押さえ用パッド部材とから成る。本発明の側頭部押圧器具は、装着が容易で、装着時の姿勢に合わせてリング部材の位置を替えて装着することができる。【選択図】図１
2004073408.tif 000002
【特許請求の範囲】
【請求項１】
頭部のこめかみ部を押圧する器具であって、開環した可撓性のリング部材と、リング部材の開環両端部に固定された弾性体からなるこめかみ部押さえ用パッド部材とを含む側頭部押圧器具。
【請求項２】
リング部材の開環両端部に、円形端部を備えたパッド固定部を固定し、該円形端部にパッド部材が固定された請求項１に記載の側頭部押圧器具。
【請求項３】
パッド固定部が端部に開口した凹部を有し、該凹部に円筒状の弾性体からなる上記パッド部材が固定された請求項２に記載の側頭部押圧器具。
【請求項４】
パッド固定部がリング部材と一体に成形された請求項２又は３に記載の側頭部押圧器具。
【請求項５】
パッド部材がウレタン成形体からなる請求項１ないし３のいずれか１項に記載の側頭部押圧器具。
【請求項６】
パッド部材が極微量放射性物質を含有した成形体から成る請求項１ないし５のいずれか１項に記載の側頭部押圧器具。
【発明の詳細な説明】
【０００１】
【発明の属する技術分野】
本発明は、こめかみ部を適切な圧力で押圧する器具であり、頭痛時に頭部に装着して、頭痛の緩和を図る器具に関する。
【０００２】
【従来の技術】
頭痛時や眼精疲労時に、人がこめかみ部を手指で押圧することにより、痛みや疲れが緩和されることがあり、人の自然な所作としてよくなされている。
【０００３】
【発明が解決しようとする課題】
しかし、頭痛の際に人が自分の手指でこめかみを押圧するのは作業その他の邪魔になり、また、長時間に亘りこめかみを押圧すると、手指が疲労する問題があった。
【０００４】
本発明は、頭痛の際に、適切な押圧力で、長時間に亘って、こめかみを押圧できる器具を提供するものである。また、本発明は、装着が容易で、様々な姿勢で適切に使用できる器具を提供するものである。
【０００５】
【課題を解決するための手段】
本発明の側頭部押圧器具は、頭部のこめかみ部を押さえる側頭部押圧器具であって、開環した弾性材料から成るリング部材と、リング部体の開環両端部に固定された弾性体からなるめかみ部押さえ用パッド部材とからなる。
【０００６】
本発明の側頭部押圧器具では、リング部材が、開環部の両端を手で持って広げることができ、手を離すと元の形状に戻るような弾性力を有するように、弾性材料で可撓性に形成されており、リング部材で接続した２つのパッド部材の各々を頭部両側のこめかみ部に接触させるように装着すると、リング部材の弾性力で両側のこめかみ部を押圧することができ、装着により頭痛を軽減、緩和する効果がある。
【０００７】
【発明の実施の形態】
本発明の側頭部押圧器具は、詳しくは、弾性材料から成る開環した可撓性リング部材と、リング部材の両端部に固定された弾性体のパッド部材とから構成され、リング部材は、両方のパッド部材の端面が互いに対向して配置するように湾曲したリング部材で保持されている。通常、両方のパッド部材の端面間の距離を、使用者の側頭部間の距離より小さく設定され、使用時にパット部材を広げて、使用者のこめかみ部に当てて、手を離すことにより、リング部材の弾性力で、パッド部材の端面が、こめかみ部に適当な力を付与して、押圧し、頭痛を軽減するものである。
【０００８】
より詳しくは、リング部材は、一部が開環して湾曲した環状の形状、例えば、円形状または楕円形状の部材で、両端部がほぼ対向した状態で、後頭部、頂頭部または顎下部に回せる長さを有するように設計される。
【０００９】
リング部材は、断面形状が円形、楕円形、多角形など様々な形状の棒状体から形成することができる。このとき、全体を均一形状の棒状体に形成することや、部分的に別形状の棒状体で形成することができる。
【００１０】
リング部材には、さまざまな形状の帯状体を用いることができ、例えば、幅や厚さが全体で均一な帯状体や、幅や厚さが部分的に変化した帯状体、孔部が長手方向に沿って配列した帯状体、規則的または不規則的な縁部形状を有する帯状体など、を用いることができる。
【００１１】
さらに、リング部材は、棒状体と帯状体が結合した形状とすることもでき、例えば、複数の帯状体又は棒状体を平行に配列し両端部で結合して一体となした形状や、端部から中央部に向って棒状体から帯状体へ変化する形状にすることもできる。
また、リング部材は、上面形状が円状または楕円状で、側面形状が規則的または不規則な曲部を有するように成形することができる。
このようなリング部材には、合成樹脂、例えば、ポリエチレン、ポリプロピレン、アクリル、ポリイミド、や、金属、例えば、アルミニウム合金，チタン合金、などから作ることができる。
【００１２】
パッド部材は、こめかみ部に直接接触してリング部材の押圧力を伝達する部材で、一端が露出して、平坦円形状や曲面円形状で、皮膚接触面とされ、他端がリング部材に固定する固定部とされている。パッド部材は、リング部材からの押圧力を皮膚接触面に伝達するまでに、その力を適度に分散し拡散できるように形成されて、長時間の装着によりこめかみ部が痛くなりにくい。
パッド部材は、例えば円筒形、円錐形、台状円錐形、球形、楕円体など、さまざまな形状とすることができる。パッド部材は、好ましくは、弾性体から形成するが、ゴムまたはエラストマーが利用され、例えば、ウレタンゴム、その他の合成ゴムの成形体が利用できる。
【００１３】
パッド部材とリング部材との固定手段には接着や係合があり、係合手段としては、例えば、パッド部材の固定部にリング部材と着脱可能に係合する穴部を設けた構造とすることができる。また、パッド部材の固定部に、くびれを備えた突起を形成し、リング部材の端部には突起のくびれ部と係合可能な穴部を形成し、突起部を穴部に挿入して係止した構造が採用できる。
【００１４】
パッド部材は、弾力性のある材料から成るので、こめかみ部の皮膚に柔らかく接触する。また、弾力性のあるパッド部材は、リング部材の圧迫力をこめかみ部に伝達する時に圧力を適度に緩和し拡散するので、こめかみ部の一点に圧迫力が集中することが防止され、長時間に亘って快適に装着することができる。
【００１５】
本発明の側頭部押圧器具は、リング部材の開環端部とパッド部材との間にパッド固定部を含むことができる。パット固定部は、一端でリング部材の端部と接続し、他端でパッド部材と接続するとができる。パッド固定部は、リング部材と一体に成形することもでき、リング部材と別体で形成した後に接着、係合、嵌合等の固定方法で一体とすることもできる。パッド固定部は、剛性材料や弾性材料で作ることができるが、またリング部材と同じ材料から形成することもできる。
【００１６】
パッド固定部は、係合や接着によりパッド部材と接続する。パッド固定部の、パッド部材と接続する端部を円形平坦面に形成して、その平坦面にパッド部材を接着すると、リング部材の押圧力をパッド部材の皮膚接触面全体に均等に伝達できる。さらに端面に開口してパッド部材を受容できる凹部を設けることができ、パッド部材を固定する時の位置決めが容易になる。また、凹部にはパッド部材を接着することができ、また、嵌合して固定することもできる。
【００１７】
本発明の側頭部押圧器具は、２つのパッド部材の間隔がこめかみ間の間隔より狭くされているので、こめかみ部を押圧することが可能となる。パッド部材の間隔、パッド部材の皮膚接触面積、リング部材の弾力性を調整することにより、適切な押圧力をを得ることができる。本発明の側頭部押圧器具では、様々なパッド部材の間隔で設計した複数サイズの側頭部押圧器具を提供することにより、使用者が最適なものを選択して装着し、こめかみ部を適切に圧迫することができる。また、本発明の側頭部押圧器具では、リング部材にスナップ留めや複数段階での係合機構による簡易な長さ調節機構を備えれば、使用者がパッド部材の間隔を調節して適切な長さの側頭部押圧器具を装着できる。
【００１８】
パッド部材には、極微量放射性物質を含有する成形体、特にウレタン成形体を用いることができ、極微量放射能により、血行が良好になり、気分がリラックスするなどの健康促進効果が期待できる。
【００１９】
【実施例】
図１は、本発明にかかる側頭部押圧器具の斜視図を示すが、リング部材２は、外形がほぼ円形で、その断面形状が、開環部２１の両端部２３近傍が四角形で、開環部２１に対向するリング中央部２２で円形になるように形成されている。リング部材２は、ポリプロピレンで形成される。
【００２０】
この例の押圧器具は、リング部材の両端部にパッド固定部３を備え、各パッド固定部にパッド部材を装着しており、パッド固定部は、この例は、リング部材２の両端部２３にリング部材２と一体に形成されている。パッド固定部３は、リング部材２の端部２３と接合した接続部３１と、接続部３１に接続する拡大部３３とが設けられ、拡大部３３の端面には、周壁３５と底部３４とで構成され、パッド部材４を収容することのできる凹部３２を設けている。
【００２１】
パッド部材４は、ウレタンゴムから円筒状ないしディスク状に形成されて、パッド固定部３の凹部３２に受容され、このパッド部材４の一端の接触面４２が、凹部３２より突出するように配置されている。パッド部材には、ウレタンゴム中に極微量の放射性物質を含有させている。
図２は、パッド固定部３とパッド部材４とを含む部位の断面図を示すが、パッド部材４が、その接着面４１をパッド固定部の凹部３２の底面３４に接着剤により接着されて固定されている。
【００２２】
この例の側頭部押圧器具の装着に際しては図３（Ａ）に示すように、両方のパット部材４を広げながらそれぞれの接触面４２を顔の前側から側頭部に当てて、パッド部材４がこめかみ部に固定された状態でリング部材２を顎下側に回して押圧器具を装着すことができる。
また、図３（Ｂ）のように、リング部材２を後頭部側に回して装着することができる。この場合は、リング部材２を後頭部側に回して、同様に、両方のパット部材４を広げながらそれぞれの接触面４２を側頭部に嵌めて、パッド部材４がこめかみ部に固定された状態で、但し、リング部材２は、後頭部側で保持されるものである。
図３（Ｃ）は、リング部材２を頂頭部側ないし後頭部上方に配置した例を示すが、リング部材２を頂頭ないしその後方に回して、以下同様にして、両方のパット部材４を広げながらそれぞれの接触面４２を側頭部に嵌めて、パッド部材４がこめかみ部に固定された状態で、但し、リング部材２は、後頭部側で保持されるものである。この例は、特に、横臥した状態で利用しても、リング部材が就寝の邪魔にならないので、就寝時も好適に装着することができる。
【００２３】
上記の実施例は、リング部材をその開環部の両端側で断面四角形で、中央部側を断面円形にした例を示したが、これの変形例として、リング部材２が、開環部２１の近傍が断面四角形の棒状体で、リング中央部２２で帯状体になるように形成し、その他は上記例と同様の構造とするこもできる。
また、別の変形例として、リング部材２が、リング中央部２２では円形断面を有する棒状体を２本並列に並べて構成して、開環部２１の近傍でその２本の棒状体が結合して、パッド固定部に固定する構造も採用でき、リング部材以外は、上記例と同様の構造として良い。
【００２４】
【発明の効果】
本発明の側頭部押圧器具は、可撓性材料のリング部材と、リング部体の開環両端部に固定された弾性体からなるこめかみ部押さえ用のパッド部材から構成するので、簡便な構造でこめかみ部を押圧でき、また長時間に亘って装着することができる。
【００２５】
側頭部押圧器具が、リング部材とパッド部材の間に、さらに円形平坦面を有するパッド固定部を備えると、リング部材の押圧力をパッド部材に均一に伝達できる。
パッド固定部が、端部に開口した凹部を備えると、パッドの固定位置が決めやすく、また接着剤なしでパッド部材を嵌入れ固定することもできる。
【００２６】
リング部材がプラスチックから成ると、軽量かつ適切な押圧力の側頭部押圧器具が得られるので、重量感がなく快適に装着でき、頭痛緩和効果も高い。
パッド部材がウレタン成形体から成ると、適切な硬さと弾力性を備えたパッド部材が得られるので、こめかみ部へ押圧力を的確に伝達できる。パッド部材が極微量放射線元素を含むと、健康増進効果が期待できる。
【図面の簡単な説明】
【図１】本発明の実施形態にかかる側頭部押圧器具の斜視図である。
【図２】本発明の実施形態にかかる側頭部押圧器具の部分断面図である。
【図３】本発明の実施形態にかかる側頭部押圧器具を頭部に装着した外観図（Ａ〜Ｃ）である。
【符号の説明】
１　　　　　　側頭部押圧器具
２　　　　　　リング部材
３　　　　　　パッド固定部
４　　　　　　パッド部材
【図１】
2004073408.tif 000003
【図２】
2004073408.tif 000004
【図３】
2004073408.tif 000005